(57)【要約】      （修正有）【課題】育成中の長尺果菜類の実を、可能なかぎり自然に近い環境状態で真っ直ぐに育成させることが可能なシンプルで安価な成長矯正具を提供する。【解決手段】筒状を呈し外周の周方向と軸方向に多数の窓孔を設けた上下開放の一体部材から成る篭部１０と、この篭部に取り付けたところの前記篭部を果菜類の枝又は茎へ取り付けるための吊下部１１とで構成する。前記窓孔の形状は三角形を含む多角形、円形を含む曲線形状、等々とすることが可能である。前記篭部１０は、縦横に前記多数の窓孔を形成して成る平面矩形状の板材を筒状に丸めて形成する。前記筒状に丸められる平面矩形状の板材の両端部が一部重なるように構成することも推奨される。また、筒状の篭部１０の軸直角断面は、略円形、略四角形等の各種形状とすることができる。【選択図】図１
0003178973.tif 000002
【実用新案登録請求の範囲】
【請求項１】
筒状を呈し外周の周方向と軸方向に多数の窓孔を設けた上下開放の一体部材から成る篭部と、この篭部に取り付けたところの前記篭部を果菜類の枝又は茎へ取り付けるための吊下部とで構成したことを特徴とする、長尺果菜類の成長矯正具。
【請求項２】
前記篭部は、横方向よりも縦方向に長い平面矩形状を呈した板材をその長手方向の両端部を一部重ね合わせて筒状に丸められており、前記窓孔は、前記長手方向の両端部と、この両端部以外の部分の長手方向に設けた少なくとも３本の縦方向リブと、これらの各縦方向リブを水平方向に連結する複数の横方向リブによって、矩形状に形成されていることを特徴とする、請求項１に記載の長尺果菜類の成長矯正具。
【請求項３】
前記窓孔の形状が三角形を含む多角形であることを特徴とする、請求項１に記載の長尺果菜類の成長矯正具。
【請求項４】
前記窓孔の形状が円形を含む曲線形状であることを特徴とする、請求項１に記載の長尺果菜類の成長矯正具。
【請求項５】
前記篭部が、縦横に前記多数の窓孔を形成して成る横方向よりも縦方向に長い平面矩形状を呈した板材を筒状に丸めて形成されたことを特徴とする、請求項１に記載の長尺果菜類の成長矯正具。
【請求項６】
前記篭部が、前記横方向よりも縦方向に長い平面矩形状を呈した板材の長手方向の両端部を一部重ね合わせて筒状に丸めて形成されたことを特徴とする、請求項５に記載の長尺果菜類の成長矯正具。
【請求項７】
前記吊下部を、前記篭部の上端から上方向へ突出させたことを特徴とする、請求項１乃至６のいずれか１項に記載の長尺果菜類の成長矯正具。
【請求項８】
前記篭部と吊下部を同一材質の部材により一体的に形成したことを特徴とする、請求項１乃至７のいずれか１項に記載の長尺果菜類の成長矯正具。
【請求項９】
前記篭部と吊下部を、同一材質または別材質の部材により個別に作製し、両者を接合または連結したことを特徴とする、請求項１乃至７のいずれか１項に記載の長尺果菜類の成長矯正具。
【請求項１０】
少なくとも前記篭部がアルミニウム製であることを特徴とする、請求項１乃至９のいずれか１項に記載の長尺果菜類の成長矯正具。
【請求項１１】
少なくとも前記篭部が合成樹脂製であることを特徴とする、請求項１乃至９のいずれか１項に記載の長尺果菜類の成長矯正具。
【請求項１２】
前記筒状の篭部の軸直角断面が略円形であることを特徴とする、請求項１乃至１１のいずれか１項に記載の長尺果菜類の成長矯正具。
【請求項１３】
前記筒状の篭部の軸直角断面が略四角形であることを特徴とする、請求項１乃至１１のいずれか１項に記載の長尺果菜類の成長矯正具。
【考案の詳細な説明】
【技術分野】
【０００１】
本考案は、きゅうり（胡瓜）、ズッキーニ、ゴーヤ、長茄子、へちま（糸瓜）等の長尺果菜類の成長過程における曲がりを矯正し、真っ直ぐな実を収穫できるようにするための成長矯正具に関する。
【背景技術】
【０００２】
きゅうり等の長尺果菜類は、成長の過程で反りや曲がりを生じやすく、曲がったきゅうり等は商品価値が低下するため、生産業者は真っ直ぐで所定規格の果菜類が収穫できるように苦心している。
従来より、きゅうり等の成長過程における曲がりを防止するために、例えば下記特許文献１に記載のような袋を成長初期の実に被せることも行なわれてきた。しかしながら、このような袋は使い捨て方式のものであり、大量に消費されるものであるため、無駄が多かった。
これを解消するため、例えば特許文献２に記載のような再使用可能な矯正具も提案されているが、きゅうり等の成長過程にある作物の実をパイプ状の部材でほぼ全面的に覆うため、日射によって蒸れたり、病気が発生しやすいなどの問題点があった。
また、特許文献３に記載の如く、きゅうりが所定の径以上に成長したとき、筒が内側から押し開かれると同時に、付属のカッターにより茎の一部が切断されてきゅうりの成長が止まるように構成した器具も提案されているが、構造が複雑で製造コストも高くなり、生産業者に安価かつ大量に供給するには適していなかった。
【先行技術文献】
【特許文献】
【０００３】
【特許文献１】特開２００７−２０５５０号公報
【特許文献２】実開昭６３−８６７４４号公報
【特許文献３】実開平６−３３４２８号公報
【考案の概要】
【考案が解決しようとする課題】
【０００４】
本考案はこれらの問題点を解決するためになされたものであり、その目的は、育成中の果菜類の実が蒸れたり、病気になったりせず、可能なかぎり自然に近い環境状態で育成させることが可能で、製造コストが安く、何度でも再使用が可能なことにより経費節減をも達成し得る長尺果菜類の成長矯正具を提供せんとするにある。
【課題を解決するための手段】
【０００５】
上記目的を達成するために本考案に係る長尺果菜類の成長矯正具は、筒状を呈し外周の周方向と軸方向に多数の窓孔を設けた上下開放の一体部材から成る篭部と、この篭部に取り付けたところの前記篭部を果菜類の枝又は茎へ取り付けるための吊下部とで構成したことを特徴とする。
【０００６】
本考案の一実施例において、前記篭部は、横方向よりも縦方向に長い平面矩形状を呈した板材をその長手方向の両端部を一部重ね合わせて筒状に丸められており、前記窓孔は、前記長手方向の両端部と、この両端部以外の部分の長手方向に設けた少なくとも３本の縦方向リブと、これらの各縦方向リブを水平方向に連結する複数の横方向リブによって、矩形状に形成されていることを特徴とする。
【０００７】
前記窓孔の形状は、三角形を含む多角形（即ち例えば、三角形、四角形、六角形、八角形、等々）、或いは円形を含む曲線形状（即ち例えば、円形、楕円形、ハート形、等々）などの各種形状とすることが可能である。
【０００８】
前記篭部は、縦横に前記多数の窓孔を形成して成る横方向よりも縦方向に長い平面矩形状を呈した板材を筒状に丸めて形成することが推奨されるが、必ずしもこれに限定されるものではない。
【０００９】
また、前記篭部は、前記横方向よりも縦方向に長い平面矩形状を呈した板材の長手方向の両端部を一部重ね合わせて筒状に丸めて形成されることが推奨される。
【００１０】
前記吊下部は、最上部のリブから上方向へ突出させるように構成することが推奨される。
【００１１】
前記篭部と吊下部を同一材質の部材により一体的に形成したり、或いはまた、前記篭部と吊下部を、同一材質または別材質の部材により個別に作製し、両者を接合または連結することにより作製することも可能である。
【００１２】
少なくとも前記篭部をアルミニウム製としたり、合成樹脂製としたりすることが可能である。
【００１３】
前記筒状の篭部の軸直角断面は略円形としたり、略四角形としたりすることが可能である。
【考案の効果】
【００１４】
本考案に係る長尺果菜類の成長矯正具は、その篭部に多数の窓孔が形成されているため、太陽光が入射しやすく、通風性に優れ、熱や湿気がこもらないため、未成熟の長尺果菜類の実に被せられて実の形状の矯正が行なわれる生育期間中も、実が蒸れたり、病気が発生したりせず、太陽光を十分に受けながら可能なかぎり自然に近い環境状態で育成させることが可能であるので、高品位の果菜類を収穫でき、従来品に比べて収量も増加するものである。また、本考案の成長矯正具は、アルミニウムや合成樹脂で作製され、構造がシンプルで、製造コストも安く済み、繰り返して使用が可能であるので、経費節減、資源保護をも達成し得るものである。
【図面の簡単な説明】
【００１５】
【図１】本考案に係る長尺果菜類の成長矯正具の一実施例を示す斜視図である。
【図２】本考案に係る長尺果菜類の成長矯正具の一実施例の正面図（図１の成長矯正具を左方向から見た図）である。
【図３】図２に示した成長矯正具の右側面図である。
【図４】図２に示した成長矯正具の平面図（上面図）である。
【図５】図２に示した成長矯正具の展開図である。
【図６】本考案に係る長尺果菜類の成長矯正具の使用状態を示す説明図である。
【図７】本考案のもう一つの実施例に係る長尺果菜類の成長矯正具の展開図である。
【図８】本考案の更にもう一つの実施例に係る長尺果菜類の成長矯正具の展開図である。
【考案を実施するための形態】
【００１６】
以下に本考案に係る長尺果菜類の成長矯正具の好ましい実施例を図面に基いて説明するが、本考案はこの実施例に限らず、材質、各部の形状、寸法、等々の仕様は使用条件、製造コスト等々に応じて、後述の如く種々様々に変更実施することが可能である。
【００１７】
図示した実施例に示す本考案に係る長尺果菜類の成長矯正具１は、外周の周方向と軸方向に多数の窓孔１００１〜１０２６を設けた筒状の上下開放の一体部材から成る篭部１０と、この篭部を果菜類の枝又は茎へ取り付けるために、篭部１０に取り付けられた吊下部１１とで構成される。より具体的には、本考案の成長矯正具１は、横方向のリブ１０１ａ〜１０１ｎと、縦方向のリブ１０２ａ、１０２ｂ、１０２ｃと間に、多数の窓孔１００１〜１０２６を形成して成り、上端開口部１００ａ及び下端開口部１００ｂを有する真っ直ぐな筒状の篭部１０と、当該篭部１０を果菜類の枝又は茎に取り付けるための吊下部１１と、から構成されている。吊下部１１は、使いやすさの点から、通常は、最上部のリブ１０１ａから上方向へ突出させるように構成するが、必ずしもこれに限定されるものではない。また、吊下部１１の数も１本に限らず、複数本設けるようにしてもよい。
【００１８】
この成長矯正具１を使用する際には、図６に示すように、きゅうり等の未成熟の小さな実２１の部分を篭部１０の前記上端開口部１００ａに挿入し、フック状に形成された吊下部１１を近くの枝や茎２２に引っ掛けて、作物の実２１が篭部１０で囲われた状態を保持するようにするものである。
このように未成熟な作物の実２１を篭部１０内に収容することにより、実が成長するにしたがって反ったり曲がったりしようとしても、筒状に真っ直ぐな篭部１０に囲われているため、矯正されて真っ直ぐに成長する。篭部１０に収容する前に既に実が或る程度成長していて、篭部１０の上端開口部１００ａから挿入しようとすると実を傷つける可能性がある場合には、前面の重ね合わせ部分を開いて収容し、収容後、再び閉じるようにするとよい。
きゅうりの場合、篭部１０の内径は例えば２０〜４０ｍｍ、全長（軸方向の長さ）は例えば１００〜２００ｍｍ程度に設定されるが、これに限定されるものではなく、作物の種類や品種等の使用条件に応じてこれらのサイズは最適なように選定されるものである。
尚、本考案の成長矯正具は、きゅうりに限らず、ズッキーニ、ゴーヤ、長茄子、へちま等の長尺果菜類に広く利用し得るものである。
【００１９】
上記の如き成長矯正具１を作製するには、例えば厚さ０．３ｍｍ〜１．０ｍｍ程度の横方向よりも縦方向に長い平面矩形状のアルミニウム板を、例えば図５に示すような多数のリブと窓孔とを有する形状に打ち抜き加工し、これを曲げ加工により真っ直ぐな筒状に巻いて前記篭部１０を形成することができる。即ち、図５に示すように、１４本の横方向のリブ１０１ａ〜１０１ｎと、３本の縦方向のリブ１０２ａ、１０２ｂ、１０２ｃと間に、２６個の矩形（四角形）の窓孔１００１〜１０２６を形成すると共に、吊下部１１となるべき部分を打ち抜き加工等により一体的に形成する。
【００２０】
図示した実施例における各部の寸法は、３本の縦方向のリブ１０２ａ、１０２ｂ、１０２ｃの長さａ＝２００ｍｍ、１４本の横方向のリブ１０１ａ〜１０１ｎの長さｂ＝１００ｍｍ、これらの横方向のリブ１０１ａ〜１０１ｎの幅ｃ＝５ｍｍ、窓孔１００１〜１０２６の幅ｄ＝１０ｍｍ、縦方向のリブ１０２ａ、１０２ｃの幅ｅ＝ｆ＝５ｍｍ、縦方向のリブ１０２ｂの幅＝吊下部１１の幅＝ｇ＝５ｍｍ、吊下部１１の長さｈ＝５０ｍｍ、窓孔１００１〜１０２６の横方向の長さｉ＝ｊ＝４７．５ｍｍの仕様となっている。窓孔１００１〜１０２６の形状は、上記したように各リブの幅よりも面積の大きな矩形状のものとなることから、篭部１０の保形性を維持できた上で、開花から約１週間程度で成熟する成長の早い胡瓜の外側に日光が良く当たることになり、曲がりのない青々とした胡瓜を得ることが可能になるものである。
ただし、上記寸法や形状は単なる一例に過ぎず、これらの仕様は使用条件等に応じて最適なように設計変更されるべきものである。
【００２１】
上記の如く打ち抜き加工した部材を、曲げ加工により筒状に巻いて図１〜図４に示すような真っ直ぐな円筒状の篭部１０を形成するものである。
その際、長手方向の両端部、即ち、両側の縦方向のリブ１０２ａと１０２ｃが所定幅だけ互いに重なるようにした重ね合わせ部１０３（特に図１及び図４参照）を形成することが推奨される。そうすることにより、篭部１０の強度が増加すると共に、横方向のリブ１０１ａ〜１０１ｎの自由端がさまざまな方向へ曲がるのを防止できる。即ち、縦方向のリブ１０２ａと１０２ｃが存在しないとすると、使用を重ねるにつれて横方向のリブ１０１ａ〜１０１ｎの自由端がさまざまな方向へ曲がって、きゅうりを傷つけやすくなるなどして、反復使用が困難になる。また、前記重ね合わせ部１０３を設けることによって、きゅうりが成長して大きくなったときに、両端部が離れないようにできると共に、使用現場において篭部１０の径を作物に合わせて重ね合わせ部を全体的に広げたり狭めたりすることにより、或る程度の範囲で調節することが可能となる。ただし、このような重ね合わせ部分１０３を形成することは必須ではなく、両側の縦方向のリブ１０２ａと１０２ｃの端縁を突き合わせるように構成してもよい。
【００２２】
吊下部１１は、図１及び図３に示すようにフック状に曲げて、作物の枝や茎に引っ掛けられるようにする。販売段階までは曲げておかず、使用現場において使用者が最適な部分で曲げるようにしてもよい。
【００２３】
尚、篭部１０に形成される前記多数の窓孔の形状については、前記実施例においては矩形（四角形）の窓孔としたが、これは例えば図７に示すような菱形の窓孔１０２７、１０２７や三角形の窓孔１０２８、１０２８とすることや、その他、六角形、八角形、等々とすることも可能であり、より一般的に言えば、三角形を含む多角形状とすることが可能である。
更にまた、図８に示すような円形の窓孔１０２９、１０２９としたり、楕円形、ハート形、等々とすることも可能であり、より一般的に言えば、円形を含む曲線形状とすることも可能である。
また、前記縦方向のリブの重ね合わせ部１０３の位置も、図示の実施例の如く、円周上で吊下部と対向する位置ではなく、吊下部に近い位置で重ね合わせるように構成してもよい。
【００２４】
尚、上記実施例では、篭部１０と吊下部１１を同一材質の部材（アルミニウム）により一体的に形成したが、篭部１０と吊下部１１を、同一材質または別材質の部材により個別に作製し、両者を接合するようにしてもよい。即ち、例えば図５に示した例において、吊下部１１となるべき部分の両側に隣接する領域は、打ち抜き加工後、使用されることなく廃棄されることとなり、材料であるアルミニウム板の無駄が多い。そこで、篭部と吊下部とを別々に作製し、組立て段階や使用段階でそれらを接合または連結するようにしてもよい。
即ち、図７に示した実施例では、篭部１０と吊下部１１とを別々に作製し、使用段階において、吊下部１１の下端に形成したフック部１１１（図中、手前へ曲げられている。）を、篭部１０の上端近くに形成した係止孔１０３０に引っ掛けることにより、篭部１０と吊下部１１とを連結可能なように構成したものである。篭部１０と吊下部１１の連結手段はこれに限られず、各種公知の手段を利用でき、また、篭部１０と吊下部１１を接着剤や溶着等の手段で接合するように構成してもよい。
また、この場合において、篭部１０と吊下部１１を、別材質の部材により個別に作製し、両者を接合または連結するようにしてもよい。
【００２５】
打ち抜き加工や曲げ加工が容易で、使用現場での調整も可能である点に鑑み、前記実施例においては素材としてアルミニウム板を使用したが、これに限定されず他の素材を使用することも可能である。例えば合成樹脂製の場合は、前記縦方向のリブ１０２ａと１０２ｃを重ね合わせない形態であれば、射出成型等により容易に製造可能である。また、熱可塑性樹脂を用いるならば、平坦な図５に示すような形状の部材を一旦作製し、これを加熱しつつ曲げて図１〜図４に示すような形状に仕上げることも可能である。合成樹脂製であると、アルミニウム製に比べて製造原価を低く抑えることができる。
【００２６】
また、図１〜図４に示した実施例においては、筒状の篭部１０の軸直角断面を略円形としたが、これに限定されず、略四角形や略三角形としたり、その他の多角形としたりすることも可能である。そのような特殊な断面形状の成長矯正具を用いて、特殊な断面形状の実を育成すれば、調理段階で輪切り等にしたときに独特の視覚的効果が得られるものである。
【００２７】
尚、本考案は上記実施例に限定されるものではなく、篭部１０の全長や径は育成すべき作物の実やその他の育成条件に応じて最適なよう設計変更されるものであり、リブや窓孔の形状や配置、リブの全面積と窓孔の全面積の比率、等々についても種々の設計変更が可能である。
【産業上の利用可能性】
【００２８】
本考案は以上のように構成したので、太陽光が入射しやすく、育成中の果菜類の実が蒸れたり、病気になったりすることがなく、太陽光を十分に受けながら可能なかぎり自然に近い環境状態で育成させることが可能であると共に、高品位の果菜類を収穫でき、従来品に比べて収量も増加するものである。また、本考案の成長矯正具は、アルミニウムや合成樹脂で作製され、構造がシンプルで、製造コストも安く済み、何度でも繰り返して使用が可能なことにより、経費節減、資源保護をも達成し得る長尺果菜類の成長矯正具を提供し得るものである。
【符号の説明】
【００２９】
1      成長矯正具
10     篭部
11     吊下部
101a〜101n  横方向リブ
102a〜102c  縦方向リブ
103    重ね合わせ部
1001〜1029  窓孔
【図１】
0003178973.tif 000003
【図２】
0003178973.tif 000004
【図３】
0003178973.tif 000005
【図４】
0003178973.tif 000006
【図５】
0003178973.tif 000007
【図６】
0003178973.tif 000008
【図７】
0003178973.tif 000009
【図８】
0003178973.tif 000010